(57)【要約】【課題】決済サービス情報が記録された記録媒体との間での決済処理の実施が可能であり、しかも利便性の向上を図ることができる自動販売機を提供すること。【解決手段】本体キャビネット１に収容された商品を販売する自動販売機において、適用対象となる決済サービス情報ごとに設けられており、決済サービス情報が記録され、かつ所定の通信可能領域に保持された電子マネーカード２０との間で情報の読み書きを行う複数のリーダライタ部１３と、リーダライタ部１３ごとに設けられ、対応するリーダライタ部１３の所定の通信可能領域に電子マネーカード２０が保持された場合に該電子マネーカード２０との間で該リーダライタ部１３に割り付けられた決済サービス情報に基づいて決済処理を実施する決済制御部４０とを備えている。【選択図】        図３
2008282354.tif 000002
【特許請求の範囲】
【請求項１】
機内に収容された商品を販売する自動販売機において、
適用対象となる決済サービス情報ごとに設けられており、決済サービス情報が記録され、かつ所定の通信可能領域に保持された記録媒体との間で情報の読み書きを行う複数のリーダライタ部と、
前記リーダライタ部ごとに設けられ、対応するリーダライタ部の所定の通信可能領域に前記記録媒体が保持された場合に該記録媒体との間で該リーダライタ部に割り付けられた決済サービス情報に基づいて決済処理を実施する決済処理手段と
を備えたことを特徴とする自動販売機。
【請求項２】
与えられた決済処理に必要な情報を前記決済処理手段のそれぞれに個別に送出する情報個別送出手段を備え、
前記決済処理手段は、前記情報個別送出手段から前記情報が与えられた場合に、対応するリーダライタ部を通じて所定の通信可能領域に保持された前記記録媒体との間で決済処理を実施することを特徴とする請求項１に記載の自動販売機。
【請求項３】
決済処理を行うための前記リーダライタ部を択一的に選択するための選択手段を備え、
前記情報個別送出手段は、前記選択手段により選択されたリーダライタ部に対応する決済処理手段に対し、与えられた決済処理に必要な情報を送出することを特徴とする請求項２に記載の自動販売機。
【請求項４】
前記情報個別送出手段は、予め決められた時間内に前記選択手段を通じてリーダライタ部が選択されない場合には、予め優先的に設定されたリーダライタ部に対応する決済処理手段に対し、与えられた決済処理に必要な情報を送出することを特徴とする請求項３に記載の自動販売機。
【請求項５】
前記情報個別送出手段は、前記決済処理手段を通じての決済処理結果を記憶する記憶手段を備え、
前記情報個別送出手段から前記記憶手段に記憶する決済処理結果が与えられた場合に、該決済処理結果を印字出力する出力手段を備えたことを特徴とする請求項２〜４のいずれか一つに記載の自動販売機。
【請求項６】
前記決済処理手段のそれぞれと個別の同期信号線により接続され、かつ与えられた決済処理に必要な情報を前記決済処理手段のそれぞれに共通の情報として送出するとともに、択一的に選択されたリーダライタ部に対応する前記決済処理手段に同期信号を出力する情報共通送出手段を備え、
前記決済処理手段は、前記情報共通送出手段から前記情報が与えられ、かつ前記同期信号が入力された場合に、対応するリーダライタ部を通じて所定の通信可能領域に保持された前記記録媒体との間で決済処理を実施することを特徴とすることを特徴とする請求項１に記載の自動販売機。
【請求項７】
前記決済処理手段は、前記同期信号が与えられた場合には対応するリーダライタ部を通じて情報の読み書きが可能となる一方、前記同期信号が与えられない場合には対応するリーダライタ部を通じての情報の読み書きが規制されることを特徴とする請求項６に記載の自動販売機。
【請求項８】
所定の通信可能領域に前記記録媒体が保持された前記リーダライタ部を通じて読み出した残額情報を表示する残額表示手段を備えたことを特徴とする請求項１〜７のいずれか一つに記載の自動販売機。
【請求項９】
前記情報共通送出手段は、前記残額表示手段による残額表示が行われた場合に、残額表示が行われてから予め決められた時間内に決済処理に必要な情報が与えられたときは、前記残額情報を読み出したリーダライタ部に対応する前記決済処理手段に対して決済処理に必要な情報を送出するとともに、前記同期信号を出力することを特徴とする請求項８に記載の自動販売機。
【請求項１０】
前記情報共通送出手段は、前記決済処理手段を通じての決済処理結果を記憶する記憶手段を備え、
前記情報共通送出手段から前記記憶手段に記憶する決済処理結果が与えられた場合に、該決済処理結果を印字出力する出力手段を備えたことを特徴とする請求項６〜９のいずれか一つに記載の自動販売機。
【発明の詳細な説明】
【技術分野】
【０００１】
本発明は、自動販売機に関し、より詳細には、例えばＩＣカード等の記録媒体との間で決済処理を実施する自動販売機に関するものである。
【背景技術】
【０００２】
従来、いわゆる「電子マネーカード」と称されるＩＣカード等の記録媒体に有価価値情報を記録させ、この有価価値情報を用いて商品やサービスの代価を決済するようにした電子決済システムが種々提供されている。これらの電子決済システムは、決済に際して現金を持ち合わせる必要がないため、利用者側の利便性のみならず、店舗側においても決済処理を容易化することができる等の利点がある。しかも、セキュリティの面も考慮されており、電子決済端末機器に用意された電子決済モジュールとの間において相互認証処理を実施し、相互認証が成立した場合にのみ電子マネーカードに対して電子決済処理が実施されることになる。つまり、電子マネーカードにおいては、相互認証が成立した電子決済モジュールのみが読み書きを行うことのできるセキュアな記憶領域に有価価値情報を記録することによって所定のセキュリティが確保されている。
【０００３】
ここで、上述の電子決済モジュールは、それぞれの電子決済システムで独自に開発されたものが殆どであり、電子決済システムが相違する電子マネーカードとの間において相互認証が成立することはなく、当然に有価価値情報の読み書きを行うことも不可能である。従って、例えば、利用者が一の電子決済事業者の電子決済システムに対応した電子マネーカードを所有しているとしても、店舗側の電子決済端末機器が他の電子決済事業者の電子決済システムに対応した電子決済モジュールを備えたものである場合には、利用者の提示した電子マネーカードを取り扱うことができず、電子決済を行うこともできない。
【０００４】
近年、複数の決済サービス情報が記録された記録媒体（ＩＣカード、携帯電話等）が普及しており、かかる記録媒体に対応するために、複数の決済サービス情報が記録された記録媒体から決済サービス情報を読み出して、読み出された種々の決済サービス情報から一の決済サービス情報を選択することにより、取引対象となる電子端末機器との間で電子決済処理を実施できるようにした携帯端末機器が提案されている（例えば、特許文献１参照）。
【０００５】
【特許文献１】特開２００３−２５６７５１号公報
【発明の開示】
【発明が解決しようとする課題】
【０００６】
ところが、上述したような携帯端末機器では、利用者側がＩＣカードを使用する場合に常に携帯していなければならず、利便性の観点から優れたものとはいえない。また、現状において複数の決済サービス情報が記録された記録媒体との間で電子決済処理が可能な自動販売機は存在していない。
【０００７】
本発明は、上記実情に鑑みて、決済サービス情報が記録された記録媒体との間での決済処理の実施が可能であり、しかも利便性の向上を図ることができる自動販売機を提供することを目的とする。
【課題を解決するための手段】
【０００８】
上記目的を達成するため、本発明の請求項１に係る自動販売機は、機内に収容された商品を販売する自動販売機において、適用対象となる決済サービス情報ごとに設けられており、決済サービス情報が記録され、かつ所定の通信可能領域に保持された記録媒体との間で情報の読み書きを行う複数のリーダライタ部と、前記リーダライタ部ごとに設けられ、対応するリーダライタ部の所定の通信可能領域に前記記録媒体が保持された場合に該記録媒体との間で該リーダライタ部に割り付けられた決済サービス情報に基づいて決済処理を実施する決済処理手段とを備えたことを特徴とする。
【０００９】
また、本発明の請求項２に係る自動販売機は、上述した請求項１において、与えられた決済処理に必要な情報を前記決済処理手段のそれぞれに個別に送出する情報個別送出手段を備え、前記決済処理手段は、前記情報個別送出手段から前記情報が与えられた場合に、対応するリーダライタ部を通じて所定の通信可能領域に保持された前記記録媒体との間で決済処理を実施することを特徴とする。
【００１０】
また、本発明の請求項３に係る自動販売機は、上述した請求項２において、決済処理を行うための前記リーダライタ部を択一的に選択するための選択手段を備え、前記情報個別送出手段は、前記選択手段により選択されたリーダライタ部に対応する決済処理手段に対し、与えられた決済処理に必要な情報を送出することを特徴とする。
【００１１】
また、本発明の請求項４に係る自動販売機は、上述した請求項３において、前記情報個別送出手段は、予め決められた時間内に前記選択手段を通じてリーダライタ部が選択されない場合には、予め優先的に設定されたリーダライタ部に対応する決済処理手段に対し、与えられた決済処理に必要な情報を送出することを特徴とする。
【００１２】
また、本発明の請求項５に係る自動販売機は、上述した請求項２〜４のいずれか一つにおいて、前記情報個別送出手段は、前記決済処理手段を通じての決済処理結果を記憶する記憶手段を備え、前記情報個別送出手段から前記記憶手段に記憶する決済処理結果が与えられた場合に、該決済処理結果を印字出力する出力手段を備えたことを特徴とする。
【００１３】
また、本発明の請求項６に係る自動販売機は、上述した請求項１において、前記決済処理手段のそれぞれと個別の同期信号線により接続され、かつ与えられた決済処理に必要な情報を前記決済処理手段のそれぞれに共通の情報として送出するとともに、択一的に選択されたリーダライタ部に対応する前記決済処理手段に同期信号を出力する情報共通送出手段を備え、前記決済処理手段は、前記情報共通送出手段から前記情報が与えられ、かつ前記同期信号が入力された場合に、対応するリーダライタ部を通じて所定の通信可能領域に保持された前記記録媒体との間で決済処理を実施することを特徴とすることを特徴とする。
【００１４】
また、本発明の請求項７に係る自動販売機は、上述した請求項６において、前記決済処理手段は、前記同期信号が与えられた場合には対応するリーダライタ部を通じて情報の読み書きが可能となる一方、前記同期信号が与えられない場合には対応するリーダライタ部を通じての情報の読み書きが規制されることを特徴とする。
【００１５】
また、本発明の請求項８に係る自動販売機は、上述した請求項１〜７のいずれか一つにおいて、所定の通信可能領域に前記記録媒体が保持された前記リーダライタ部を通じて読み出した残額情報を表示する残額表示手段を備えたことを特徴とする。
【００１６】
また、本発明の請求項９に係る自動販売機は、上述した請求項８において、前記情報共通送出手段は、前記残額表示手段による残額表示が行われた場合に、残額表示が行われてから予め決められた時間内に決済処理に必要な情報が与えられたときは、前記残額情報を読み出したリーダライタ部に対応する前記決済処理手段に対して決済処理に必要な情報を送出するとともに、前記同期信号を出力することを特徴とする。
【００１７】
また、本発明の請求項１０に係る自動販売機は、上述した請求項６〜９のいずれか一つにおいて、前記情報共通送出手段は、前記決済処理手段を通じての決済処理結果を記憶する記憶手段を備え、前記情報共通送出手段から前記記憶手段に記憶する決済処理結果が与えられた場合に、該決済処理結果を印字出力する出力手段を備えたことを特徴とする。
【発明の効果】
【００１８】
本発明の自動販売機によれば、適用対象となる決済サービス情報ごとに設けられ、かつ所定の通信可能領域に記録媒体が保持されたリーダライタ部を通じて、該記録媒体との間で該リーダライタ部に割り付けられた決済サービス情報に基づいて決済処理を実施するので、決済サービス情報が記録された記録媒体との間で決済が可能であり、しかも利用者は、当該記録媒体のみを保有していれば良く、利便性の向上を図ることができ、特に、適用を希望する決済サービス情報に割り付けられたリーダライタ部を通じて決済可能なので、利用者に対しての説明を必要とせず、利用者が簡単な操作で利用することができるという効果を奏する。
【発明を実施するための最良の形態】
【００１９】
以下に添付図面を参照しながら、本発明に係る自動販売機の好適な実施の形態について詳細に説明する。
【００２０】
＜実施の形態１＞
図１および図２は、それぞれ本発明の実施の形態１における自動販売機を模式的に示したものであり、図１は斜視図であり、図２は内部構成を簡略的に示した説明図である。また、図３は本発明の実施の形態１における自動販売機の制御系を示すブロック図である。ここに例示する自動販売機は、缶入り飲料やペットボトル入り飲料等の商品を販売するためのもので、本体キャビネット１を備えている。
【００２１】
本体キャビネット１は、前面が開口した直方状の断熱筐体として形成したものである。この本体キャビネット１の内部には、複数のコラム２が左右、前後に並設してある。各コラム２には、同一種類の商品が上下方向に沿って収納してある。コラム２の下方部には、商品搬出機３が設けてある。商品搬出機３は、指令が与えられた場合に、対応するコラム２に収納された商品群のうち最下段にあるものを一つずつ搬出するものである。搬出された商品は、商品シュータ（図示せず）等を転動した後に、後述する商品取出口１０に至る。
【００２２】
上記自動販売機には、本体キャビネット１の一側縁部に外扉４が設けてある。外扉４は、本体キャビネット１の前面開口を開閉するものであり、前面側にディスプレイウィンドウ５、硬貨投入口６、紙幣挿入口７、金額表示器８、硬貨返却口９、商品取出口１０、商品選択ボタン１１、電子決済選択ボタン１２、リーダライタ部１３、表示器１４が設けてある一方、外扉４の後面側には、硬貨処理機１５（図３参照）、硬貨回収箱（図示せず）、紙幣処理機１６（図３参照）が設けてある。
【００２３】
ディスプレイウィンドウ５は、商品見本１７を利用者に視認させるための窓である。硬貨投入口６は、利用者が硬貨を投入するための開口である。この硬貨投入口６を通じて投入された硬貨は、硬貨処理機１５においてその金種が識別され、その後硬貨回収箱に収容される。紙幣挿入口７は、利用者が紙幣を挿入するための開口である。この紙幣挿入口７を通じて挿入された紙幣は、紙幣処理機１６においてその金種が識別される。また、上記紙幣挿入口７は、紙幣処理機１６において識別できなかった紙幣を返却するための機能を有している。金額表示器８は、貨幣の投入金額等を表示するためのものである。硬貨返却口９は、硬貨処理機１５において識別できなかった硬貨、あるいは釣銭となる硬貨を利用者に返却するための開口である。また、硬貨返却口９は、利用者が返却レバー１８を操作することにより、硬貨投入口６を通じて投入された硬貨を返却するための機能を有している。商品取出口１０は、商品搬出機３により搬出されたコラム２内の商品を利用者が取り出すための開口である。
【００２４】
商品選択ボタン１１は、利用者が購入商品を選択するための押ボタンスイッチであり、ディスプレイウィンドウ５を通じて視認される商品見本１７ごとに用意してある。かかる商品選択ボタン１１は、押下された場合には、割り付けられた商品等に関する情報を商品選択信号として後述する主制御部３０に出力するものである。
【００２５】
電子決済選択ボタン１２は、適用対象となる決済サービス情報ごとに設けられ、決済サービス情報を選択するため押ボタンスイッチである。本実施の形態１における自動販売機は、例えば決済サービス情報Ａ、Ｂの合計２つを適用対象としており、電子決済選択ボタン１２が２つ設けてある。電子決済選択ボタン１２は、押下されて決済サービス情報が選択されると、選択された決済サービス情報を選択信号として後述する多重化装置４２ａに出力するものである。
【００２６】
そのような電子決済選択ボタン１２は、図には明示しない表示機構を内蔵している。表示機構は、ＬＥＤ等を配置して構成したものであり、対応する電子決済選択ボタン１２が押下された場合にＬＥＤを点灯させるものである。
【００２７】
リーダライタ部１３は、所定のアクセス領域（通信可能領域）に電子マネーカード２０が配置された場合に、後述する電子マネーカード２０のＩＣメモリ２１に対して情報の読み書きが可能になるとともに、ＩＣ制御部２２に対して情報の送受信を行うことが可能になるものである。このリーダライタ部１３は、電子マネーカード２０が所定のアクセス領域に配置されると、電子マネーカード２０が保持された旨を信号として後述する決済制御部４０に出力するものである。
【００２８】
本実施の形態においては、リーダライタ部１３は、適用対象となる決済サービス情報ごとに設けてあり、上述したように本実施の形態における自動販売機は、例えば決済サービス情報Ａ、Ｂの合計２つを適用対象としていることから、リーダライタ部１３も２つ設けてある。以下においては、便宜上、「リーダライタ部（１）１３」、「リーダライタ部（２）１３」と称することもある。ここで、リーダライタ部（１）１３は決済サービス情報Ａに対象とし、リーダライタ部（２）１３は決済サービス情報Ｂを対象とするものとする。
【００２９】
また、リーダライタ部１３には、図には明示しないが表示機構が内蔵してある。表示機構は、ＬＥＤ等を配置して構成したものであり、後述する読取可能状態になる場合にＬＥＤを点灯させるものである。
【００３０】
表示器１４は、詳細は後述するがリーダライタ部１３を通じて読み出した電子マネーカード２０に記憶された残高情報を表示するためのものである。
【００３１】
ここで、電子マネーカード２０は、ＩＣチップを備えた非接触式のＩＣカードであり、図４に示すように、ＩＣメモリ２１およびＩＣ制御部２２を備えている。ＩＣメモリ２１は、決済処理を実施する場合に必要となる決済サービス情報を記録したものである。本実施の形態１では、事業者識別情報と有価価値情報とによって決済サービス情報が構成してあり、事業者の異なる複数の決済サービス情報が電子マネーカード２０のＩＣメモリ２１に各別に記録してある。事業者識別情報は、電子決済事業者を識別するためのものであり、ＩＣメモリ２１の共有領域に平文の状態で記録されている。有価価値情報は、決済処理を実施する場合に代金として用いられる電子的有価価値であり、事業者ごとに個別の認証が必要となるＩＣメモリ２１のセキュアなメモリ領域にそれぞれ事業者ごとに異なる暗号化処理が施された状態で記録してある。ＩＣ制御部２２は、ＩＣメモリ２１に記録された決済サービス情報の管理を主機能とするものである。本実施の形態１における電子マネーカード２０は、複数（例えば２つ）の決済サービス情報が記録された記録媒体である。具体的には、Ａ、Ｂの合計２つの決済サービス情報が記録されている。これにより、本実施の形態１においては、電子マネーカード２０のＩＣメモリ２１に対して非接触の状態で情報の読み書きを行うことができるリーダライタ部１３を適用している。
【００３２】
上記自動販売機は、上記構成要素の他に、主制御部３０、決済制御部４０、多重化装置４２ａおよびプリンタ１９を有している。
【００３３】
主制御部３０は、主メモリ３１に予め格納されたプログラムやデータ等により自動販売機の基本動作、例えば商品選択、金銭処理、商品搬出および印字出力等の各動作の統括的な制御を行うものである。特に、主制御部３０は、押下された商品選択ボタン１１から商品選択信号が出力された場合には、商品が選択された旨を当該商品選択信号に含まれる商品の決済金額とともに多重化装置４２ａに与えるものであり、また、後述するように多重化装置４２ａを通じて決済制御部４０からの信号が与えられることにより、商品搬出動作の制御を行うものである。
【００３４】
決済制御部４０は、リーダライタ部１３ごとに設けてある。決済制御部４０は、予めメモリ４１に記録されたプログラムやデータ、並びに多重化装置４２ａを通じて主制御部３０から与えられた指令や情報に従って、電子決済処理の統括的な制御を行うものであり、主な制御としては、決済処理制御および表示処理制御がある。決済処理制御は、リーダライタ部１３を通じて電子マネーカード２０の決済サービス情報が与えられた場合、この決済サービス情報が対応するものであることを条件に、決済処理を行うものであり、決済金額が与えられた場合に決済サービス情報に含まれた事業者識別情報に基づいて対応する有価価値情報の減算処理を実施し、その後、決済処理が終了した旨を決済処理終了信号として上述した主制御部３０に出力するものである。尚、ＩＣメモリ２１に記録された有価価値情報に対して減算処理を行う場合に必要となる事業者ごとの認証鍵、暗号鍵および復号鍵は、予め用意されているものとする。また本実施の形態１では、決済制御部４０がＡ、Ｂの合計２つの決済サービス情報に対応しているものとする。表示処理制御は、リーダライタ部１３を通じて読み出した電子マネーカード２０に記憶された残高情報を表示器１４に出力して残高表示させるものである。
【００３５】
多重化装置４２ａは、主制御部３０と決済制御部４０との間に介在する態様で設けてある。多重化装置４２ａは、複数の通信ポートを有したものであり、主制御部３０から与えられた決済処理に必要な情報を決済制御部４０のそれぞれに個別に送出する一方、決済制御部４０のそれぞれから送出された情報を主制御部３０に送出する情報個別送出手段である。また、多重化装置４２ａには、上述した電子決済選択ボタン１２が接続してあり、電子決済選択ボタン１２からの選択信号を受信することにより、その選択結果に応じて主制御部３０から与えられた情報をリーダライタ部（１）１３に対応する決済制御部４０、あるいはリーダライタ部（２）１３に対応する決済制御部４０に送出するものである。尚、本実施の形態においては、多重化装置４２ａは、電子決済選択ボタン１２からの選択信号を受信しない場合には、いずれの決済制御部４０にも主制御部３０から与えられた情報を送出しないものである。
【００３６】
そのような多重化装置４２ａには、図には明示しないが内部メモリ（記憶手段）が設けてある。内部メモリは、各端末、すなわち各リーダライタ部１３での決済処理結果を記憶するものである。
【００３７】
プリンタ１９は、主制御部３０から指令が与えられた場合に、所定の情報を印字出力する出力手段である。
【００３８】
図５は、決済制御部が実施する決済処理制御を示すシーケンス図であり、商品選択前に電子決済選択が行われた場合を示している。以下、この図５を参照しながら、本実施の形態１における自動販売機において商品の代金を電子マネー決済処理する場合について説明する。尚、かかる図５においてリーダライタ部１３（１）およびリーダライタ部１３（２）の表示には、決済制御部４０およびメモリがそれぞれ含まれているものとする。
【００３９】
まずいずれかの電子決済選択ボタン１２が押下されることにより選択信号が出力され、かかる選択信号を多重化装置４２ａが受信する（ＳＱ１０１）。ここでは、決済サービス情報Ｂが選択されたものとして説明する。
【００４０】
その後、商品選択待機状態となっている自動販売機において、利用者により商品選択ボタン１１が押下されると商品選択信号が出力され、商品選択が行われた旨が主制御部３０に与えられる（ＳＱ１０２）。すると、主制御部３０は、多重化装置４２ａにカード決済指令を与え（ＳＱ１０３）、これにより多重化装置４２ａは、決済サービス情報Ｂを対象とするリーダライタ部（２）１３に対応する決済制御部４０にカード決済指令を与える（ＳＱ１０４）。これによりリーダライタ部（２）１３は、カード読取待機状態になる（ＳＱ１０５）。
【００４１】
このカード読取待機状態において、リーダライタ部（２）１３に電子マネーカード２０が保持されると（ＳＱ１０６）、決済制御部４０は、電子マネーカード２０との間で相互認証処理を行い（ＳＱ１０７）、相互認証が成立すると電子マネーカード２０に決済指令を与える（ＳＱ１０８）。これに呼応して電子マネーカード２０で決済が行われ（ＳＱ１０９）、その応答が与えられると（ＳＱ１１０）、決済制御部４０は、多重化装置４２ａを通じて主制御部３０にカード決済応答を与える（ＳＱ１１１，ＳＱ１１２）。これにより、主制御部３０は、商品搬出機３に商品搬出信号を与え（ＳＱ１１３）、商品搬出機３に商品を搬出させて、今回の決済処理制御を終了する。尚、多重化装置４２ａでは、決済制御部４０からのカード決済応答が与えられると、かかる決済処理結果を内部メモリに記憶する。
【００４２】
図６は、決済制御部が実施する決済処理制御を示すシーケンス図であり、商品選択後に電子決済選択が行われた場合を示している。以下、この図６を参照しながら、本実施の形態１における自動販売機において商品の代金を電子マネー決済処理する場合について説明する。尚、以下の場合も図５に示した場合と同様に決済サービス情報Ｂが選択されたものとして説明し、リーダライタ部１３（１）およびリーダライタ部１３（２）の表示には、決済制御部４０およびメモリがそれぞれ含まれているものとする。
【００４３】
商品選択待機状態となっている自動販売機において、利用者により商品選択ボタン１１が押下されると商品選択信号が出力され、商品選択が行われた旨が主制御部３０に与えられる（ＳＱ１２１）。すると、主制御部３０は、多重化装置４２ａにカード決済指令を与える（ＳＱ１２２）。多重化装置４２ａにカード決済指令が与えられた場合に、いずれかの電子決済選択ボタン１２が押下されることにより選択信号が出力され、かかる選択信号を多重化装置４２ａが受信すると（ＳＱ１２３）、多重化装置４２ａは、決済サービス情報Ｂを対象とするリーダライタ部（２）１３に対応する決済制御部４０にカード決済指令を与える（ＳＱ１２４）。これによりリーダライタ部（２）１３は、カード読取待機状態になる（ＳＱ１２５）。
【００４４】
このカード読取待機状態において、リーダライタ部（２）１３に電子マネーカード２０が保持されると（ＳＱ１２６）、決済制御部４０は、電子マネーカード２０との間で相互認証処理を行い（ＳＱ１２７）、相互認証が成立すると電子マネーカード２０に決済指令を与える（ＳＱ１２８）。これに呼応して電子マネーカード２０で決済が行われ（ＳＱ１２９）、その応答が与えられると（ＳＱ１３０）、決済制御部４０は、多重化装置４２ａを通じて主制御部３０にカード決済応答を与える（ＳＱ１３１，ＳＱ１３２）。これにより、主制御部３０は、商品搬出機３に商品搬出信号を与え（ＳＱ１３３）、商品搬出機３に商品を搬出させて、今回の決済処理制御を終了する。
【００４５】
図７は、決済制御部が実施する表示処理制御を示すシーケンス図である。以下、この図７を参照しながら、本実施の形態１における自動販売機において電子マネーカード２０の残高情報を表示する場合について説明する。尚、リーダライタ部１３（１）およびリーダライタ部１３（２）の表示には、決済制御部４０およびメモリがそれぞれ含まれているものとする。
【００４６】
まず、リーダライタ部（１）１３およびリーダライタ部（２）１３は、ともにカード読取待機状態となっている（ＳＱ１４１，ＳＱ１４２）。
【００４７】
このカード読取待機状態において、リーダライタ部（１）１３に電子マネーカード２０が保持されると（ＳＱ１４３）、決済制御部４０は、電子マネーカード２０との間で相互認証処理を行い（ＳＱ１４４）、相互認証が成立すると電子マネーカード２０に残高読み出し指令を与える（ＳＱ１４５）。これに呼応して電子マネーカード２０から残高読み出し応答が与えられると（ＳＱ１４６）、決済制御部４０は、多重化装置４２ａを通じて主制御部３０に残高情報応答を与える（ＳＱ１４７）。その後、決済制御部４０は、表示器１４を通じて与えられた電子マネーカード２０の残高情報に含まれる残高を表示して、今回の表示処理制御を終了する。
【００４８】
図８は、本実施の形態１における自動販売機が実施する印字出力処理を示すシーケンス図である。以下、この図８を参照しながら、本発明の実施の形態１における自動販売機の動作について更に説明する。
【００４９】
主制御部３０は、プリンタ１９に対してプリンタ印字指令を与える場合に、多重化装置４２ａに対して締め指示を与える（ＳＱ１５１，ＳＱ１５２）。これに呼応するように、多重化装置４２ａは、内部メモリに記憶するリーダライタ部１３（１）の決済処理結果、すなわち決済サービス情報Ａの決済処理についての印字応答を主制御部３０に与える（ＳＱ１５３）。このように決済サービス情報Ａの決済処理結果についての印字応答が与えられた主制御部３０は、プリンタ１９に対して印字出力指令を与え（ＳＱ１５４）、その後、多重化装置４２ａに対して締め指示を与える（ＳＱ１５５）。かかる締め指示が与えられた多重化装置４２ａは、内部メモリに記憶するリーダライタ部１３（２）の決済処理結果、すなわち決済サービス情報Ｂの決済処理結果についての印字応答を主制御部３０に与える（ＳＱ１５６）。このように決済サービス情報Ｂの決済処理結果についての印字応答が与えられた主制御部３０は、プリンタ１９に対して印字出力指令を与える（ＳＱ１５７）。このように本実施の形態１における自動販売機では、プリンタ印字に同期して、各決済サービス情報での決済処理結果を印字出力することができる。
【００５０】
以上説明したように、本発明の実施の形態１における自動販売機においては、決済制御部４０が、所定の通信可能領域に電子マネーカード２０が保持されたリーダライタ部１３を通じて、該電子マネーカード２０との間で該リーダライタ部１３に割り付けられた決済サービス情報に基づいて決済処理を実施する決済処理手段を構成している。
【００５１】
そして、上記自動販売機によれば、適用対象となる決済サービス情報ごとに設けられ、かつ所定の通信可能領域に電子マネーカード２０が保持されたリーダライタ部１３を通じて、該電子マネーカード２０との間で該リーダライタ部１３に割り付けられた決済サービス情報に基づいて決済処理を実施するので、決済サービス情報が記録された電子マネーカード２０との間で決済が可能であり、しかも利用者は、当該電子マネーカード２０のみを保有していれば良く、利便性の向上を図ることができ、特に、適用を希望する決済サービス情報に割り付けられたリーダライタ部１３を通じて決済可能なので、利用者に対しての説明を必要とせず、利用者が簡単な操作で利用することができる。
【００５２】
また、上記自動販売機によれば、多重化装置４２ａが、電子決済選択ボタン１２を通じて選択した決済サービス情報が割り付けられたリーダライタ部１３に対応する決済制御部４０のみに必要な情報を送出するので、商品先選択による電子決済を競合なく行える。特に、リーダライタ部（１）１３とリーダライタ部（２）１３とが同じアドレスを有していても構わないので、自動販売機各部の設定を大きく変更する必要がない。
【００５３】
＜実施の形態２＞
図９は、本発明の実施の形態２における自動販売機を模式的に示した斜視図である。また、図１０は本発明の実施の形態２における自動販売機の制御系を示すブロック図である。尚、上述した実施の形態１における自動販売機と同一の構成を有するものには同一の符号を付してその説明を省略する。
【００５４】
自動販売機を構成する外扉４の前面側にディスプレイウィンドウ５、硬貨投入口６、紙幣挿入口７、金額表示器８、硬貨返却口９、商品取出口１０、商品選択ボタン１１、電子決済切替スイッチ１２ａ、リーダライタ部１３、表示器１４が設けてある一方、その後面側には、硬貨処理機１５（図１０参照）、硬貨回収箱（図示せず）、紙幣処理機１６（図１０参照）が設けてある。
【００５５】
電子決済切替スイッチ１２ａは、決済サービス情報を選択するためのスイッチである。この電子決済切替スイッチ１２ａは、一度オンすると決済サービス情報Ａが選択されたものとし、再びオンすると決済サービス情報Ｂが選択されたものとし、再度オンすると再び決済サービス情報Ａが選択されたものとするように、オンするごとに決済サービス情報を順々に切り替えるものである。そして、電子決済切替スイッチ１２ａは、選択された決済サービス情報を切替信号として後述する多重化装置４２ｂに出力するものである。
【００５６】
上記自動販売機は、主制御部３０、決済制御部４０、多重化装置４２ｂおよびプリンタ１９を有している。
【００５７】
多重化装置４２ｂは、主制御部３０と決済制御部４０との間に介在する態様で設けてある。多重化装置４２ｂは、複数の通信ポートを有したものであり、主制御部３０から与えられた決済処理に必要な情報を決済制御部４０のそれぞれに個別に送出する一方、決済制御部４０のそれぞれから送出された情報を主制御部３０に送出する情報個別送出手段である。また、多重化装置４２ｂには、上述した電子決済切替スイッチ１２ａが接続してあり、電子決済切替スイッチ１２ａからの切替信号を受信することにより、その選択結果に応じて主制御部３０から与えられた情報をリーダライタ部（１）１３に対応する決済制御部４０、あるいはリーダライタ部（２）１３に対応する決済制御部４０に送出するものである。尚、本実施の形態においては、多重化装置４２ｂは、予め決められた時間内に電子決済切替スイッチ１２ａからの切替信号を受信しない場合には、予め優先的に設定されたリーダライタ部（１）１３に対応する決済制御部４０に対して主制御部３０から与えられた情報を送出するようにしてある。
【００５８】
そのような多重化装置４２ｂには、図には明示しないが内部メモリ（記憶手段）が設けてある。内部メモリは、各端末、すなわち各リーダライタ部１３での決済処理結果を記憶するものである。
【００５９】
図１１は、決済制御部が実施する決済処理制御を示すシーケンス図であり、電子決済切替スイッチ１２ａを通じて電子決済選択が行われない場合を示している。以下、この図１１を参照しながら、本実施の形態２における自動販売機において商品の代金を電子マネー決済処理する場合について説明する。尚、かかる図１１においてリーダライタ部１３（１）およびリーダライタ部１３（２）の表示には、決済制御部４０およびメモリがそれぞれ含まれているものとする。
【００６０】
商品選択待機状態となっている自動販売機において、利用者により商品選択ボタン１１が押下されると商品選択信号が出力され、商品選択が行われた旨が主制御部３０に与えられる（ＳＱ１６１）。すると、主制御部３０は、多重化装置４２ｂにカード決済指令を与える（ＳＱ１６２）。カード決済指令が与えられた多重化装置４２ｂは、予め決められた時間内に電子決済切替スイッチ１２ａからの切替信号を受信しない場合に、予め優先的に設定されたリーダライタ部（１）１３に対応する決済制御部４０にカード決済指令を与える（ＳＱ１６３）。これによりリーダライタ部（１）１３は、カード読取待機状態になる（ＳＱ１６４）。
【００６１】
このカード読取待機状態において、リーダライタ部（１）１３に電子マネーカード２０が保持されると（ＳＱ１６５）、決済制御部４０は、電子マネーカードとの間で相互認証処理を行い（ＳＱ１６６）、相互認証が成立すると電子マネーカードに決済指令を与える（ＳＱ１６７）。これに呼応して電子マネーカードで決済が行われ（ＳＱ１６８）、その応答が与えられると（ＳＱ１６９）、決済制御部４０は、多重化装置４２ｂを通じて主制御部３０にカード決済応答を与える（ＳＱ１７０，ＳＱ１７１）。これにより、主制御部３０は、商品搬出機３に商品搬出信号を与え（ＳＱ１７２）、商品搬出機３に商品を搬出させて、今回の決済処理制御を終了する。
【００６２】
図１２は、決済制御部が実施する決済処理制御を示すシーケンス図であり、商品選択前に電子決済選択が行われた場合を示している。以下、この図１２を参照しながら、本実施の形態２における自動販売機において商品の代金を電子マネー決済処理する場合について説明する。尚、かかる図１２においてリーダライタ部１３（１）およびリーダライタ部１３（２）の表示には、決済制御部４０およびメモリがそれぞれ含まれているものとする。
【００６３】
まず電子決済切替スイッチ１２ａがオンされることにより切替信号が出力され、かかる切替信号を多重化装置４２ｂが受信する（ＳＱ１８１）。ここでは、決済サービス情報Ｂが選択されたものとして説明する。
【００６４】
その後、商品選択待機状態となっている自動販売機において、利用者により商品選択ボタン１１が押下されると商品選択信号が出力され、商品選択が行われた旨が主制御部３０に与えられる（ＳＱ１８２）。すると、主制御部３０は、多重化装置４２ｂにカード決済指令を与え（ＳＱ１８３）、これにより多重化装置４２ｂは、決済サービス情報Ｂを対象とするリーダライタ部（２）１３に対応する決済制御部４０にカード決済指令を与える（ＳＱ１８４）。これによりリーダライタ部（２）１３は、カード読取待機状態になる（ＳＱ１８５）。
【００６５】
このカード読取待機状態において、リーダライタ部（２）１３に電子マネーカード２０が保持されると（ＳＱ１８６）、決済制御部４０は、電子マネーカードとの間で相互認証処理を行い（ＳＱ１８７）、相互認証が成立すると電子マネーカードに決済指令を与える（ＳＱ１８８）。これに呼応して電子マネーカードで決済が行われ（ＳＱ１８９）、その応答が与えられると（ＳＱ１９０）、決済制御部４０は、多重化装置４２ｂを通じて主制御部３０にカード決済応答を与える（ＳＱ１９１，ＳＱ１９２）。これにより、主制御部３０は、商品搬出機３に商品搬出信号を与え（ＳＱ１９３）、商品搬出機３に商品を搬出させて、今回の決済処理制御を終了する。
【００６６】
図１３は、決済制御部が実施する決済処理制御を示すシーケンス図であり、商品選択後に電子決済選択が行われた場合を示している。以下、この図１３を参照しながら、本実施の形態２における自動販売機において商品の代金を電子マネー決済処理する場合について説明する。尚、以下の場合も図１２に示した場合と同様に決済サービス情報Ｂが選択されたものとして説明し、リーダライタ部１３（１）およびリーダライタ部１３（２）の表示には、決済制御部４０およびメモリがそれぞれ含まれているものとする。
【００６７】
商品選択待機状態となっている自動販売機において、利用者により商品選択ボタン１１が押下されると商品選択信号が出力され、商品選択が行われた旨が主制御部３０に与えられる（ＳＱ２０１）。すると、主制御部３０は、多重化装置４２ｂにカード決済指令を与える（ＳＱ２０２）。カード決済指令が与えられた多重化装置４２ｂは、予め決められた時間内に電子決済切替スイッチ１２ａからの切替信号を受信しない場合に、予め優先的に設定されたリーダライタ部（１）１３に対応する決済制御部４０にカード決済指令を与える（ＳＱ２０３）。ところが、その後に電子決済切替スイッチ１２ａから切替信号を入力すると（ＳＱ２０４）、多重化装置４２ｂは、リーダライタ部（１）１３に対応する決済生業部に停止指令を与え、これに呼応してリーダライタ部（１）１３に対応する決済制御部４０から停止応答が与えられた場合に（ＳＱ２０５，ＳＱ２０６）、決済サービス情報Ｂを対象とするリーダライタ部（２）１３に対応する決済制御部４０にカード決済指令を与える（ＳＱ２０７）。これによりリーダライタ部（２）１３は、カード読取待機状態になる（ＳＱ２０８）。
【００６８】
このカード読取待機状態において、リーダライタ部（２）１３に電子マネーカード２０が保持されると（ＳＱ２０９）、決済制御部４０は、電子マネーカードとの間で相互認証処理を行い（ＳＱ２１０）、相互認証が成立すると電子マネーカードに決済指令を与える（ＳＱ２１１）。これに呼応して電子マネーカードで決済が行われ（ＳＱ２１２）、その応答が与えられると（ＳＱ２１３）、決済制御部４０は、多重化装置４２ｂを通じて主制御部３０にカード決済応答を与える（ＳＱ２１４，ＳＱ２１５）。これにより、主制御部３０は、商品搬出機３に商品搬出信号を与え（ＳＱ２１６）、商品搬出機３に商品を搬出させて、今回の決済処理制御を終了する。
【００６９】
以上説明したように、本発明の実施の形態２における自動販売機においては、決済制御部４０が、所定の通信可能領域に電子マネーカード２０が保持されたリーダライタ部１３を通じて、該電子マネーカード２０との間で該リーダライタ部１３に割り付けられた決済サービス情報に基づいて決済処理を実施する決済処理手段を構成している。
【００７０】
そして、上記自動販売機によれば、適用対象となる決済サービス情報ごとに設けられ、かつ所定の通信可能領域に電子マネーカード２０が保持されたリーダライタ部１３を通じて、該電子マネーカード２０との間で該リーダライタ部１３に割り付けられた決済サービス情報に基づいて決済処理を実施するので、決済サービス情報が記録された電子マネーカード２０との間で決済が可能であり、しかも利用者は、当該電子マネーカード２０のみを保有していれば良く、利便性の向上を図ることができ、特に、適用を希望する決済サービス情報に割り付けられたリーダライタ部１３を通じて決済可能なので、利用者に対しての説明を必要とせず、利用者が簡単な操作で利用することができる。
【００７１】
また、上記自動販売機によれば、多重化装置４２ｂが、電子決済切替スイッチ１２ａを通じて選択した決済サービス情報が割り付けられたリーダライタ部１３のみに必要な情報を送出するので、商品先選択による電子決済を競合なく行える。特に、リーダライタ部（１）１３とリーダライタ部（２）１３とが同じアドレスを有していても構わないので、自動販売機各部の設定を大きく変更する必要がない。
【００７２】
＜実施の形態３＞
図１４は、本発明の実施の形態３における自動販売機の制御系を示すブロック図である。尚、上述した実施の形態１における自動販売機と同一の構成を有するものには同一の符号を付してその説明を省略する。
【００７３】
この実施の形態３における自動販売機は、主制御部３０、決済制御部４０、多重化装置４２ｃおよびプリンタ１９を有している。
【００７４】
多重化装置４２ｃは、主制御部３０と、決済制御部４０との間に介在する態様で設けてあり、更に、決済制御部４０のそれぞれと個別の同期信号線４３，４４により接続されている。この多重化装置４２ｃには、電子決済選択ボタン１２が接続してあり、電子決済選択ボタン１２からの選択信号を受信することにより、その選択結果に応じて同期信号をリーダライタ部（１）１３に対応する決済制御部４０、あるいはリーダライタ部（２）１３に対応する決済制御部４０に出力するものである。同期信号が与えられた決済制御部４０は、応答可能状態になる一方、同期信号が与えられない決済制御部４０は、応答不可状態になる。ここで、応答可能状態とは、対応するリーダライタ部１３の所定の通信可能領域に電子マネーカード２０が保持された場合に、当該電子マネーカード２０との間で情報の読み書きが可能になることをいう。
【００７５】
つまり、ここで例示する多重化装置４２ｃは、主制御部３０から与えられた決済処理に必要な情報を決済制御部４０のそれぞれに共通の情報として送出するとともに、電子決済選択ボタン１２により択一的に選択されたリーダライタ部１３に対応する決済制御部４０に同期信号を出力する情報共通送出手段である。尚、多重化装置４２ｃは、電子決済選択ボタン１２からの選択信号を受信しない場合には、いずれの決済制御部４０にも同期信号を出力しないため、決済制御部４０はともに応答不可状態になる。
【００７６】
そのような多重化装置４２ｃには、図には明示しないが内部メモリ（記憶手段）が設けてある。内部メモリは、各端末、すなわち各リーダライタ部１３での決済処理結果を記憶するものである。
【００７７】
図１５は、決済制御部が実施する決済処理制御を示すシーケンス図であり、商品選択前に電子決済選択が行われた場合を示している。以下、この図１５を参照しながら、本実施の形態３における自動販売機において商品の代金を電子マネー決済処理する場合について説明する。尚、かかる図１５においてリーダライタ部１３（１）およびリーダライタ部１３（２）の表示には、決済制御部４０およびメモリがそれぞれ含まれているものとする。
【００７８】
まずいずれかの電子決済選択ボタン１２が押下されることにより選択信号が出力され、かかる選択信号を多重化装置４２ｃが受信する（ＳＱ２３１）。ここでは、決済サービス情報Ｂが選択されたものとして説明する。選択信号を受信した多重化装置４２ｃは、選択結果に応じて決済サービス情報Ｂが割り付けられたリーダライタ部（２）１３に対応する決済制御部４０に同期信号を出力し、これにより決済制御部４０（リーダライタ部（２）１３）は応答可能状態になる（ＳＱ２３２，ＳＱ２３３）。
【００７９】
その後、商品選択待機状態となっている自動販売機において、利用者により商品選択ボタン１１が押下されると商品選択信号が出力され、商品選択が行われた旨が主制御部３０に与えられる（ＳＱ２３４）。すると、主制御部３０は、多重化装置４２ｃにカード決済指令を与え（ＳＱ２３５）、これにより多重化装置４２ｃは、リーダライタ部１３のそれぞれにカード決済指令を与えることになるが、上述したようにリーダライタ部（２）１３だけが応答可能状態になっているため、リーダライタ部（２）１３がカード読取待機状態になる（ＳＱ２３６，ＳＱ２３７）。
【００８０】
このカード読取待機状態において、リーダライタ部（２）１３に電子マネーカード２０が保持されると（ＳＱ２３８）、決済制御部４０は、電子マネーカードとの間で相互認証処理を行い（ＳＱ２３９）、相互認証が成立すると電子マネーカードに決済指令を与える（ＳＱ２４０）。これに呼応して電子マネーカードで決済が行われ（ＳＱ２４１）、その応答が与えられると（ＳＱ２４２）、決済制御部４０は、多重化装置４２ｃを通じて主制御部３０にカード決済応答を与える（ＳＱ２４３，ＳＱ２４４）。これにより、主制御部３０は、商品搬出機３に商品搬出信号を与え（ＳＱ２４５）、商品搬出機３に商品を搬出させて、今回の決済処理制御を終了する。
【００８１】
図１６は、決済制御部が実施する決済処理制御を示すシーケンス図であり、商品選択後に電子決済選択が行われた場合を示している。以下、この図１６を参照しながら、本実施の形態３における自動販売機において商品の代金を電子マネー決済処理する場合について説明する。尚、以下の場合も図１５に示した場合と同様に決済サービス情報Ｂが選択されたものとして説明し、リーダライタ部１３（１）およびリーダライタ部１３（２）の表示には、決済制御部４０およびメモリがそれぞれ含まれているものとする。
【００８２】
商品選択待機状態となっている自動販売機において、利用者により商品選択ボタン１１が押下されると商品選択信号が出力され、商品選択が行われた旨が主制御部３０に与えられる（ＳＱ２６１）。すると、主制御部３０は、多重化装置４２ｃにカード決済指令を与える（ＳＱ２６２）。多重化装置４２ｃにカード決済指令が与えられた場合に、いずれかの電子決済選択ボタン１２が押下されることにより選択信号が出力され、かかる選択信号を多重化装置４２ｃが受信すると（ＳＱ２６３）、多重化装置４２ｃは、選択結果に応じて決済サービス情報Ｂが割り付けられたリーダライタ部（２）１３に対応する決済制御部４０に同期信号を出力し、これにより決済制御部４０（リーダライタ部（２）１３）は応答可能状態になる（ＳＱ２６４，ＳＱ２６５）。また、多重化装置４２ｃは、決済制御部４０のそれぞれにカード決済指令を与えることになるが、上述したようにリーダライタ部（２）１３に対応する決済制御部４０だけが応答可能状態になっているため、リーダライタ部（２）１３がカード読取待機状態になる（ＳＱ２６６，ＳＱ２６７）。
【００８３】
このカード読取待機状態において、リーダライタ部（２）１３に電子マネーカード２０が保持されると（ＳＱ２６８）、決済制御部４０は、電子マネーカードとの間で相互認証処理を行い（ＳＱ２６９）、相互認証が成立すると電子マネーカードに決済指令を与える（ＳＱ２７０）。これに呼応して電子マネーカードで決済が行われ（ＳＱ２７１）、その応答が与えられると（ＳＱ２７２）、決済制御部４０は、多重化装置４２ｃを通じて主制御部３０にカード決済応答を与える（ＳＱ２７３，ＳＱ２７４）。これにより、主制御部３０は、商品搬出機３に商品搬出信号を与え（ＳＱ２７５）、商品搬出機３に商品を搬出させて、今回の決済処理制御を終了する。
【００８４】
図１７は、決済制御部が実施する表示処理制御を示すシーケンス図である。以下、この図１７を参照しながら、本実施の形態３における自動販売機において電子マネーカード２０の残高情報を表示する場合について説明し、リーダライタ部１３（１）およびリーダライタ部１３（２）の表示には、決済制御部４０およびメモリがそれぞれ含まれているものとする。
【００８５】
まず、リーダライタ部（１）１３およびリーダライタ部（２）１３は、ともにカード読取不可、すなわち応答不可状態になっている（ＳＱ２９１，ＳＱ２９２）。
【００８６】
そして、いずれかの電子決済選択ボタン１２が押下されることにより選択信号が出力され、かかる選択信号を多重化装置４２ｃが受信する（ＳＱ２９３）。ここでは、決済サービス情報Ａが選択されたものとして説明する。選択信号を受信した多重化装置４２ｃは、選択結果に応じて決済サービス情報Ａが割り付けられたリーダライタ部（１）１３に対応する決済制御部４０に同期信号を出力し（ＳＱ２９４）、これにより決済制御部４０（リーダライタ部（１）１３）は応答可能状態、すなわちリーダライタ部（１）１３は、カード読取可能状態になる（ＳＱ２９５）。
【００８７】
このカード読取待機状態において、リーダライタ部（１）１３に電子マネーカード２０が保持されると（ＳＱ２９６）、決済制御部４０は、電子マネーカード２０との間で相互認証処理を行い（ＳＱ２９７）、相互認証が成立すると電子マネーカード２０に残高読み出し指令を与える（ＳＱ２９８）。これに呼応して電子マネーカード２０から残高読み出し応答が与えられると（ＳＱ２９９）、決済制御部４０は、多重化装置４２ｃを通じて主制御部３０に残高情報応答を与える（ＳＱ３００）。その後、決済制御部４０は、表示器１４を通じて与えられた電子マネーカード２０の残高情報に含まれる残高を表示して、今回の表示処理制御を終了する。
【００８８】
図１８は、本実施の形態３における自動販売機が実施する印字出力処理を示すシーケンス図である。以下、この図１８を参照しながら、本発明の実施の形態３における自動販売機の動作について更に説明する。
【００８９】
主制御部３０は、プリンタ１９に対してプリンタ印字指令を与える場合に、多重化装置４２ｃに対して締め指示を与える（ＳＱ３０１，ＳＱ３０２）。これに呼応するように、多重化装置４２ｃは、内部メモリに記憶するリーダライタ部１３（１）の決済処理結果、すなわち決済サービス情報Ａの決済処理についての印字応答を主制御部３０に与える（ＳＱ３０３）。このように決済サービス情報Ａの決済処理結果についての印字応答が与えられた主制御部３０は、プリンタ１９に対して印字出力指令を与え（ＳＱ３０４）、その後、多重化装置４２ｃに対して締め指示を与える（ＳＱ３０５）。かかる締め指示が与えられた多重化装置４２ｃは、内部メモリに記憶するリーダライタ部１３（２）の決済処理結果、すなわち決済サービス情報Ｂの決済処理結果についての印字応答を主制御部３０に与える（ＳＱ３０６）。このように決済サービス情報Ｂの決済処理結果についての印字応答が与えられた主制御部３０は、プリンタ１９に対して印字出力指令を与える（ＳＱ３０７）。このように本実施の形態３における自動販売機では、プリンタ印字に同期して、各決済サービス情報での決済処理結果を印字出力することができる。
【００９０】
以上説明したように、本発明の実施の形態３における自動販売機においては、決済制御部４０が、所定の通信可能領域に電子マネーカード２０が保持されたリーダライタ部１３を通じて、該電子マネーカード２０との間で該リーダライタ部１３に割り付けられた決済サービス情報に基づいて決済処理を実施する決済処理手段を構成している。
【００９１】
そして、上記自動販売機によれば、適用対象となる決済サービス情報ごとに設けられ、かつ所定の通信可能領域に電子マネーカード２０が保持されたリーダライタ部１３を通じて、該電子マネーカード２０との間で該リーダライタ部１３に割り付けられた決済サービス情報に基づいて決済処理を実施するので、決済サービス情報が記録された電子マネーカード２０との間で決済が可能であり、しかも利用者は、当該電子マネーカード２０のみを保有していれば良く、利便性の向上を図ることができ、特に、適用を希望する決済サービス情報に割り付けられたリーダライタ部１３を通じて決済可能なので、利用者に対しての説明を必要とせず、利用者が簡単な操作で利用することができる。
【００９２】
また、上記自動販売機によれば、リーダライタ部１３のそれぞれと個別の同期信号線４３，４４により接続され、かつ与えられた決済処理に必要な情報をリーダライタ部１３のそれぞれに共通の情報として送出するとともに、択一的に選択されたリーダライタ部１３に同期信号を出力する多重化装置４２ｃを備え、該多重化装置４２ｃにより決済処理に必要な情報が送出されるととともに、同期信号が出力され、かつ所定の通信可能領域に電子マネーカード２０が保持されたリーダライタ部１３を通じて決済処理を実施するので、商品先選択による電子決済を競合なく行える。特に、リーダライタ部（１）１３とリーダライタ部（２）１３とが同じアドレスを有していても構わないので、自動販売機各部の設定を大きく変更する必要がない。
【００９３】
以上、本発明の好適な実施の形態１〜３について説明したが、本発明はこれらに限定されるものではなく、種々の変更を行うことができる。
【００９４】
例えば、上述した実施の形態３における自動販売機では、決済処理制御において、多重化装置４２ｃが選択信号を受信した場合に同期信号を対応する決済制御部４０（リーダライタ部１３）に出力して当該決済制御部４０を応答可能状態にして決済処理を行っていたが、本発明では、多重化装置４２ｃは、表示処理制御による残額表示が行われた場合に、残額表示が行われてから予め決められた時間内に決済制御部４０から決済処理に必要な情報が与えられたときは、残額情報を読み出したリーダライタ部１３に対応する決済制御部４０に対して決済処理に必要な情報を送出して、決済処理を行うようにしても構わない。
【００９５】
また、上述した実施の形態１〜３における自動販売機では、表示器１４を通じて電子マネーカード２０の残高情報に含まれる残高を表示する場合について説明したが、本発明では、これに限定されるものではなく、金額表示器８を通じて電子マネーカード２０の残高情報に含まれる残高を表示するようにしても構わない。このように金額表示器８を通じて表示する場合には、残高情報応答を与えられた主制御部３０が金額表示器８に所定の信号を出力して行うことになる。
【００９６】
更に、本発明では、各リーダライタ部１３に表示器を備えるようにしてもよく、電子マネーカード２０をリーダライタ部１３にかざした際（リーダライタ部１３の所定の通信可能領域に保持した際）に、かざした位置と変わらず表示できるため、表示内容の視認性が良好なものとなる。
【００９７】
また更に、本発明の実施の形態では、印字出力に関し、多重化装置４２ａ（４２ｃ）の内部メモリを使用して決済情報を出力しているが、各決済制御部４０のメモリ４１に対応する決済サービス情報の決済情報を記憶させ、印字指令出力時に多重化装置４２ａ（４２ｃ）から各決済制御部４０に対し、各メモリ４１から決済情報を出力するようにしても良い。
【産業上の利用可能性】
【００９８】
以上のように、本発明に係る自動販売機は、例えばＩＣカード等の電子マネーカードとの間で決済処理を実施するのに有用である。
【図面の簡単な説明】
【００９９】
【図１】図１は、本発明の実施の形態１における自動販売機を模式的に示した斜視図である。
【図２】図２は、本発明の実施の形態１における自動販売機の内部構成を簡略的に示した説明図である。
【図３】図３は、本発明の実施の形態１における自動販売機の制御系を示すブロック図である。
【図４】図４は、電子マネーカードの一例を模式的に示した説明図である。
【図５】図５は、決済制御部が実施する決済処理制御を示すシーケンス図であり、商品選択前に電子決済選択が行われた場合を示している。
【図６】図６は、上述した決済制御部が実施する決済処理制御を示すシーケンス図であり、商品選択後に電子決済選択が行われた場合を示している。
【図７】図７は、決済制御部が実施する表示処理制御を示すシーケンス図である。
【図８】図８は、本発明の実施の形態１における自動販売機が実施する印字出力処理を示すシーケンス図である。
【図９】図９は、本発明の実施の形態２における自動販売機を模式的に示した斜視図である。
【図１０】図１０は、本発明の実施の形態２における自動販売機の制御系を示すブロック図である。
【図１１】図１１は、決済制御部が実施する決済処理制御を示すシーケンス図であり、電子決済切替スイッチを通じて電子決済選択が行われない場合を示している。
【図１２】図１２は、決済制御部が実施する決済処理制御を示すシーケンス図であり、商品選択前に電子決済選択が行われた場合を示している。
【図１３】図１３は、決済制御部が実施する決済処理制御を示すシーケンス図であり、商品選択後に電子決済選択が行われた場合を示している。
【図１４】図１４は、本発明の実施の形態３における自動販売機の制御系を示すブロック図である。
【図１５】図１５は、決済制御部が実施する決済処理制御を示すシーケンス図であり、商品選択前に電子決済選択が行われた場合を示している。
【図１６】図１６は、決済制御部が実施する決済処理制御を示すシーケンス図であり、商品選択後に電子決済選択が行われた場合を示している。
【図１７】図１７は、決済制御部が実施する表示処理制御を示すシーケンス図である。
【図１８】図１８は、本発明の実施の形態３における自動販売機が実施する印字出力処理を示すシーケンス図である。
【符号の説明】
【０１００】
１２      電子決済選択ボタン
１２ａ    電子決済切替スイッチ
１３      リーダライタ部
２０      電子マネーカード
２１      ＩＣメモリ
２２      ＩＣ制御部
３０      主制御部
４０      決済制御部
４２ａ，４２ｂ，４２ｃ      多重化装置
４３，４４      同期信号線
【図１】
2008282354.tif 000003
【図２】
2008282354.tif 000004
【図３】
2008282354.tif 000005
【図４】
2008282354.tif 000006
【図５】
2008282354.tif 000007
【図６】
2008282354.tif 000008
【図７】
2008282354.tif 000009
【図８】
2008282354.tif 000010
【図９】
2008282354.tif 000011
【図１０】
2008282354.tif 000012
【図１１】
2008282354.tif 000013
【図１２】
2008282354.tif 000014
【図１３】
2008282354.tif 000015
【図１４】
2008282354.tif 000016
【図１５】
2008282354.tif 000017
【図１６】
2008282354.tif 000018
【図１７】
2008282354.tif 000019
【図１８】
2008282354.tif 000020